(57)【要約】  【課題】  少ない部品点数や組立工数で、サイズの異なる円筒形電池のいずれかを収納し、かつサイズの異なる円筒形電池の同時収納を防止できる電子機器を提供する。【解決手段】電池収納部に設けられ第１電池を保持する第１保持部と第２電池を保持する第２保持部及び第３電池を保持する保持部材と、電池蓋に設けられ第１電池を押さえる第１押さえ部と第２電池または第３電池を押さえる第２押さえ部と、第１保持部と第１押さえ部で形成され第１電池を収納する第１収納領域と、第２保持部と第２押さえ部で形成され第２電池または第３電池を収納する第２収納領域とを有し、保持部材には、第３電池を保持する第３電池保持部と、第３電池保持部が第１収納領域と第２収納領域を移動可能となるように軸支する軸部と、第２収納領域内で第３電池保持部に第３電池が配置されたとき第１保持部から第１収納領域へと突出する突出部を備える。【選択図】図５
2018056003.tif 000002
【特許請求の範囲】
【請求項１】
第１電池、第２電池、第３電池の３種類の円筒形電池を収納できる電池収納部と、前記第１電池、前記第２電池、前記第３電池を出し入れする開口部と、前記開口部を覆う電池蓋と、前記電池収納部に設けられ前記第１電池を保持する第１保持部と前記第２電池を保持する第２保持部と前記第３電池を保持する保持部材と、前記電池蓋に設けられ前記第１電池を押さえる第１押さえ部と前記第２電池または前記第３電池を押さえる第２押さえ部と、前記第１保持部と前記第１押さえ部で形成され前記第１電池を収納する第１収納領域と、前記第２保持部と前記第２押さえ部で形成され前記第２電池または前記第３電池を収納する第２収納領域とを有し、前記保持部材には、前記第３電池を保持する第３電池保持部と、前記第３電池保持部が前記第１収納領域と前記第２収納領域を移動可能となるように軸支する軸部と、前記第２収納領域内で前記第３電池保持部に前記第３電池が配置されたとき前記第１保持部から前記第１収納領域へと突出する突出部を備えることを特徴とする電子機器。
【発明の詳細な説明】
【技術分野】
【０００１】
本発明は、乾電池や充電池を電源とする電子機器の同電池を収納する構造に関する。
【背景技術】
【０００２】
乾電池や充電池から電力を供給されて駆動する電子機器では、円筒形状の乾電池あるいは充電池（以降、円筒形電池と記載する）を使用するものがある。円筒形電池には、単一形（日本工業規格（ＪＩＳ）では、Ｒ２０）、単二形（同、Ｒ１４）、単三形（同、Ｒ６）といった、異なる直径および長さを有するものが存在する。従って、電子機器の電池収納部がいずれか１種類の円筒形電池のみ収納できる構造である場合は、当該電池収納部に収納されている円筒形電池の容量がなくなり、同じサイズの円筒形電池がないときは電子機器が使用できなくなる。
【０００３】
このような電子機器のうち、特に家庭に設置されて市町村の防災無線を受信する防災無線受信機では、交換用の円筒形電池がなくて防災無線受信機で地震や大雨などの災害に関する緊急放送を受信できなくなることは大きな問題である。このような問題を解決するためには、電子機器にサイズの異なる円筒形電池を使用できるようにした電池収納部を備えることで、防災無線が受信できなくなるリスクを低減できる。
【０００４】
上記のようなサイズの異なる円筒形電池を収納できる電子機器の電池収納部としては、例えば特許文献１に記載のものが提案されている。特許文献１に記載の電池収納部は、電子機器本体筐体の前面下方に配置され、この電池収納部を覆う電池蓋を有している。また、電池収納部に上下方向に回動自在に設けられた第１保持部材を有し、電池蓋に上下方向に回動自在に設けられた第２保持部材を有する。
【０００５】
電池収納部には、単一形電池を保持する第１保持部と単二形電池を保持する第２保持部が設けられている。また、電池蓋には、単一形電池を押さえる第１押さえ部と単二形電池を押さえる第２押さえ部が設けられている。第１保持部と第１押さえ部で単一形電池を収納する第１収納領域が形成される。また、第２保持部と第２押さえ部で単二形電池を収納する第２収納領域が形成される。さらには、第１収納領域に移動した第１保持部材と第２保持部材で単三形電池を収納する領域が形成される。
【０００６】
以上説明した電池収納部は、使用者が単三形電池を使用するときは、第１保持部材と第２保持部材で形成される領域に単三形電池を収納する。また、使用者が単一形電池あるいは単二形電池を使用するときは、第１保持部材と第２保持部材を上下いずれかの方向に回動させて、第１保持部と第１押さえ部で形成される第１収納領域に単一形電池を収納する、あるいは、第２保持部と第２押さえ部で形成される第２収納領域に単二形電池を収納する。
【０００７】
また、第１収納領域に単一形電池を収納した時、第２収納領域内に突出し、第２収納領域に単二形電池または単三形電池を収納した時、第１収納領域内に突出する同時収納防止部材により、サイズの異なる円筒形電池が同時に収納されることを防止する。
【先行技術文献】
【特許文献】
【０００８】
【特許文献１】特開２００６−１１４４６０号公報
【発明の概要】
【発明が解決しようとする課題】
【０００９】
特許文献１に記載の電子機器の電池収納部では、上述したようにサイズの異なる円筒形電池（単一形電池、単二形電池、単三形電池）のいずれかを収納し、かつサイズの異なる円筒形電池の同時収納を防止するために、第１保持部材と第２保持部材と同時収納防止部材の３点の可動部材を必要とするため、部品点数が多くコストアップとなり、組立工数もかかるという問題があった。
【００１０】
本発明は、上記課題に鑑みてなされたものであり、少ない部品点数や組立工数でサイズの異なる円筒形電池のいずれかを収納し、かつサイズの異なる円筒形電池の同時収納を防止できる電子機器を提供することを目的とする。
【課題を解決するための手段】
【００１１】
本発明は上述の課題を解決するため、本発明の電子機器は、第１電池、第２電池、第３電池の３種類の円筒形電池を収納できる電池収納部と、前記第１電池、前記第２電池、前記第３電池を出し入れする開口部と、前記開口部を覆う電池蓋と、前記電池収納部に設けられ前記第１電池を保持する第１保持部と前記第２電池を保持する第２保持部と前記第３電池を保持する保持部材と、前記電池蓋に設けられ前記第１電池を押さえる第１押さえ部と前記第２電池または前記第３電池を押さえる第２押さえ部と、前記第１保持部と前記第１押さえ部で形成され前記第１電池を収納する第１収納領域と、前記第２保持部と前記第２押さえ部で形成され前記第２電池または前記第３電池を収納する第２収納領域とを有し、前記保持部材には、前記第３電池を保持する第３電池保持部と、前記第３電池保持部が前記第１収納領域と前記第２収納領域を移動可能となるように軸支する軸部と、前記第２収納領域内で前記第３電池保持部に前記第３電池が配置されたとき前記第１保持部から前記第１収納領域へと突出する突出部を備えることを特徴とする。
【発明の効果】
【００１２】
上記のように構成した本発明の電子機器によれば、可動部材の数を減らすことができるため、部品点数や組立工数の削減によりコストダウンが図れる。
【図面の簡単な説明】
【００１３】
【図１】本発明の実施形態である電子機器の外観斜視面である。
【図２】図１の要部分解斜視図と電池収納部に収納される各電池を描いた図面である。
【図３】本発明の実施形態における電池収納部を説明する図面であり、（Ａ）は保持部材を電池収納部から取り外した状態斜視図、（Ｂ）は（Ａ）において保持部材を装着した状態での要部矢視Ｆ図、（Ｃ）は（Ｂ）におけるＸ−Ｘ断面図である。
【図４】本発明の実施形態における、電池収納部の蓋を裏面から見た斜視図である。
【図５】本発明の実施形態における、各電池の収納状態を説明する図面であり、（Ａ）は各収納部の説明図、（Ｂ）は第１電池を収納した状態図、（Ｃ）は第２電池を収納した状態図、（Ｄ）は第３電池を収納した状態図である。
【発明を実施するための形態】
【００１４】
以下、本発明の実施の形態を、添付図面に基づいて詳細に説明する。実施形態としては、各家庭に設置されて市町村の防災無線を受信できるものであり、円筒形電池を駆動電源とする防災無線受信機を例に挙げて説明する。なお本発明は、以下の実施形態に限定されることはなく、本発明の主旨を逸脱しない範囲で種々変形することが可能である。
【実施例】
【００１５】
図１に示すように、本実施形態における電子機器１は、各々が合成樹脂材で形成される前面ケース２と背面ケース３が組み合わされてなる箱状の筐体を有している。なお、以降の説明において、必要に応じて前面ケース２側を電子機器１の前面側、背面ケース３側を電子機器１の背面側、前面ケース２を前面側から見た場合の右方向を電子機器１の右側、前面ケース２を前面側から見た場合の左方向を電子機器１の左側と称する。
【００１６】
図２および図３（Ａ）に示すように、前面ケース２の下部には、前面ケース２の右側面
の半分を右方に開口するとともに前面ケース２の前面の大部分を前方に開口し後述する電池収納部５に円筒形電池を収納するための開口部２ａが設けられている。また、合成樹脂材で形成された開口部２ａを覆う電池蓋である蓋４が設けられている。
【００１７】
なお、前面ケース２や背面ケース３には、市町村の防災無線設備や他の電子機器から送信される各種信号を受信するための端子や、電子機器１の機能選択や各種設定を行うための操作部、選択された機能や現在の設定状況を表示する表示部等が設けられている。また、筐体内部には、各種信号を受信する受信部や、操作部の操作に応じた処理を実行し表示部にその結果を表示させる制御部等が設けられている。これらの各装置は、本発明と直接関連がないため、図示と詳細な説明は省略する。
【００１８】
前面ケース２の開口部２ａより筐体内部には、電池収納部５が設けられている。図３（Ｂ）に示すように、電池収納部５は、第１収納領域５ｑと、第２収納領域５ｒと、保持部材５ａと、負極端子５ｂと、正極端子５ｃを有する。本実施形態の電子機器１では、電池収納部５に第１電池３０、第２電池４０、第３電池５０の３種類の円筒形電池のいずれかを２本直列に収納できる。なお、第１電池３０は単一形であり、第２電池４０は単二形であり、第３電池５０は単三形である。ここで、各々の円筒形電池のサイズ（長さおよび直径）については、第２電池４０と第３電池５０が同じ長さであり、第１電池３０は第２電池４０および第３電池５０より長い。また、第１電池３０の直径は第２電池４０より大きく、第２電池４０の直径は第３電池５０の直径より大きい。また、電池収納部５を筐体の前面に設けるのは、電子機器１が壁に取り付けられた場合でも電池交換が容易に行えるようにするためである。
【００１９】
なお、図２に示すように第１電池３０、第２電池４０、第３電池５０の各側面のうち、電池収納部５側に当接する部分を電池収納部側当接面（３０ａ、４０ａ、５０ａ）、蓋４側に当接する部分を蓋側当接面（３０ｂ、４０ｂ、５０ｂ）と称する。
【００２０】
第１収納領域５ｑは、第１保持部５ｄと、上面５ｇと、第１左面５ｊと、第１右面５ｌで形成される。図３（Ｂ）に示すように、第１収納領域５ｑは、第１収納領域５ｑを前面側から見れば上記各構成部材と第１保持部５ｄと後述する第２保持部５ｅの接続部である境界部５ｐによって左右方向に長い長方形状となる。
【００２１】
第１左面５ｊには、負極端子５ｂの一方を構成する第１電池用負極端子５ｂａが設けられている。第１右面５ｌには、正極端子５ｃの一方を構成する第１電池用正極端子５ｃａが設けられている。第１収納領域５ｑの左右方向の長さ、つまり、第１左面５ｊと第１右面５ｌの間隔は、第１電池用負極端子５ｂａと第１電池用正極端子５ｃａの第１収納領域５ｑへの突出分を考慮し第１電池３０を２本直列に収納できるようになっている。
【００２２】
図３（Ｃ）に示すように、第１保持部５ｄは、断面が円の３分の１の円弧形状を有し第１電池３０の形状に応じた曲面に形成されている。第１保持部５ｄの上端は上面５ｇの一端と接続する。上面５ｇは他端が開口部２ａまで延伸するように形成される。第１保持部５ｄの下端は第２保持部５ｅの上端と接続する。
【００２３】
第２収納領域５ｒは、第２保持部５ｅと、下面５ｈと、第２左面５ｋと、第２右面５ｍで形成される。図３（Ｂ）に示すように、第２収納領域５ｒは第１収納領域５ｑの下方に配置され、第２収納領域５ｒを前面側から見れば上記各構成部材と境界部５ｐによって左右方向に長い長方形状となる。
【００２４】
第２左面５ｋには、負極端子５ｂの他方を構成する第２／第３電池用負極端子５ｂｂが設けられている。第２右面５ｍには、正極端子５ｃの他方を構成する第２／第３電池用正極端子５ｃｂが設けられている。第２収納領域５ｒの左右方向の長さ、つまり、第２左面５ｋと第２右面５ｍの間隔は、第２／第３電池用負極端子５ｂｂと第２／第３電池用正極端子５ｃｂの第２収納領域５ｒへの突出分を考慮し第２電池４０または第３電池５０を２
本直列に収納できるようになっている。
【００２５】
図３（Ｃ）に示すように、第２保持部５ｅは、断面が円の３分の１の円弧形状を有し第２電池４０の形状に応じた曲面に形成されている。第２保持部５ｅの下端は下面５ｈの一端と接続する。下面５ｈは他端が開口部２ａまで延伸するように形成される。
【００２６】
以上説明したように、第１収納領域５ｑは第１電池３０の外形に応じた形状となっており、第２収納領域５ｒは第２電池４０の外形に応じた形状となっている。従って、第１収納領域５ｑの容積は第２収納領域５ｒの容積より大きい。また、境界部５ｐに、保持部材５ａの後述する軸部５ａｂが挿入される２つの軸受部５ｆが設けられている。
【００２７】
図３（Ａ）に示すように、保持部材５ａは、第３電池５０を保持する第３電池保持部５ａａと、第３電池５０と当接する第３電池配置面５ａｂと、第３電池保持部５ａａが第１収納領域５ｑと第２収納領域５ｒを移動可能に軸支する２つの軸部５ａｃと、図３（Ｃ）に示すように、第２収納領域５ｒ内で第３電池保持部５ａａに第３電池５０が配置されたとき第１保持部５ｄから第１収納領域５ｑへと突出する２つの突出部５ａｄを有する。なお、保持部材５ａに突出部５ａｄがあるため、第１電池３０と第２電池５０の同時収納を防止することができる。
【００２８】
図３（Ｂ）に示すように、保持部材５ａの左右方向の長さは、第２収納領域５ｒの左右方向の長さより小さく、かつ、２本の第３電池５０を直列に保持できる長さとされている。また、保持部材５ａの高さ（Ｈ１）は、第２収納領域５ｒの高さ（Ｈ２）より小さい。
【００２９】
図３（Ｃ）に示すように、第３電池配置面５ａｂは、断面が円の３分の１の円弧形状を有し第３電池５０の形状に応じた曲面に形成されている。第３電池配置面５ａｂの左右方向の長さは、直列に配置される第３電池５０の正極と負極の接触部を中心として左側の第３電池５０の一部（正極側の端部）と右側の第３電池５０の一部（負極側の端部）を覆う長さとされている。また、図３（Ａ）に示す第３電池保持部５ａａの第３電池配置面５ａｂと反対側の面５ａｅは、第２保持部５ｅと同じ円弧形状を有し、第３電池保持部５ａａに第３電池５０が保持されたとき第２保持部５ｅに当接する。
【００３０】
図４に示すように、蓋４は断面形状が前面ケース２の前面側から右側面に至る開口部２ａを覆うようにＬ字形状に形成されている。蓋４の裏面４ａには、蓋４の上端から下端に渡って上下方向に延びる５本のリブ４ｂが設けられている。リブ４ｂは、蓋４の左側から間隔を空けて並べて配置されている。
【００３１】
リブ４ｂは、各々に第１押さえ部４ｃと第２押さえ部４ｄを有する。各第１押さえ部４ｃは、円の４分の１の円弧形状を有し第１電池３０の側面に応じた形状とされている。各第２押さえ部４ｄは、円の６分の１の円弧形状を有し第２電池４０の側面に応じた形状とされている。また、各リブ４ｂにおいて、第１押さえ部４ｃが第２押さえ部４ｄの上方に配置されている。つまり、第１押さえ部４ｃが第１電池収納領域５ｑに対応する配置とされ、第２押さえ部４ｄが第２電池収納領域５ｒに対応する配置とされている。
【００３２】
以上説明した電池収納部５に蓋４を装着すると、図５（Ａ）に示す状態となる。ここで、図５（Ａ）は、図３（Ｃ）の電池収納部５の断面図に蓋４の断面図（リブ４ｂが見える箇所での断面図）を組み合わせた図面である。また、図５（Ａ）では、第３電池保持部５ａａが第２収納領域５ｒ内に配置されている場合を図示している。
【００３３】
図５（Ａ）に示すように、電池収納部５の第１保持部５ｄと蓋４の第１押さえ部４ｃで、第１電池３０を収納する第１収納領域５ｑが形成される。また、電池収納部５の第２保持部５ｅと蓋４の第２押さえ部４ｄで、第２電池４０を収納する第２収納領域５ｒが形成される。そして、第２収納領域５ｒ内に配置された第３電池保持部５ａａの第３電池配置面５ａｂと蓋４の第２押さえ部４ｄで、第３電池５０を収納する第３収納領域５ｓが形成される。
【００３４】
次に、第１電池３０、第２電池４０、第３電池５０の各々の電池収納部５への収納作業について、図５（Ｂ）乃至図５（Ｄ）を用いて説明する。まずは、第１電池３０を電池収
納部５へ収納する際について図５（Ｂ）を用いて説明し、以降は第２電池４０、第３電池５０の順に電池収納部５へ収納する際について図５（Ｃ）、図５（Ｄ）を用いて説明する。
＜第１電池３０の収納＞
【００３５】
第１電池３０を電池収納部５へ収納するときは、まず、蓋４を前面ケース２から取り外す。次に、保持部材５ａの第３電池保持部５ａａを第２収納領域５ｒに移動させる。次に、２本の第１電池３０を直列になるように第１収納領域５ｑに挿入し、第１電池３０の電池収納部側当接面３０ａを第１保持部５ｄに当てて、蓋４を閉じる。
【００３６】
蓋４を閉じると、蓋４の第１押さえ部４ｃによって第１電池３０の蓋側当接面３０ｂが押さえられる。このようにして、図５（Ｂ）に示すように、第１電池３０が第１収納領域５ｑに収納される。第１電池３０が第１収納領域５ｑに収納されると、直列に収納された第１電池３０のうちの左側の第１電池３０の負極が第１電池用負極端子５ｂａと接触する。また、右側の第１電池３０の正極が第１電池用正極端子５ｃａと接触する。これにより、２本の第１電池３０から電子機器１に電力が供給される。
＜第２電池４０の収納＞
【００３７】
第２電池４０を電池収納部５へ収納するときは、まず、蓋４を前面ケース２から取り外す。次に、保持部材５ａの第３電池保持部５ａａを第１収納領域５ｑに移動させる。次に、２本の第２電池４０を直列になるように第２収納領域５ｒに挿入し、第２電池４０の電池収納部側当接面４０ａを第２保持部５ｅに当てて、蓋４を閉じる。
【００３８】
蓋４を閉じると、蓋４の第２押さえ部４ｄによって第２電池４０の蓋側当接面４０ｂが押さえられる。このようにして、図５（Ｃ）に示すように、第２電池４０が第２収納領域５ｒに収納される。第２電池４０が第２収納領域５ｒに収納されると、直列に収納された第２電池４０のうちの左側の第２電池４０の負極が第２／第３電池用負極端子５ｂｂと接触する。また、右側の第２電池４０の正極が第２／第３電池用正極端子５ｃｂと接触する。これにより、２本の第２電池４０から電子機器１に電力が供給される。
＜第３電池５０の収納＞
【００３９】
第３電池５０を電池収納部５へ収納するときは、まず、蓋４を前面ケース２から取り外す。保持部材５ａの第３電池保持部５ａａを第２収納領域５ｒに移動させる。次に、２本の第３電池５０を直列になるように第３収納領域５ｓに挿入し、第３電池５０の電池収納部側当接面５０ａを保持部材５ａの第３電池配置面５ａｂに当てて、蓋４を閉じる。
【００４０】
蓋４を閉じると、蓋４の第２押さえ部４ｄによって第３電池５０の蓋側当接面５０ｂが押さえられる。このようにして、図５（Ｄ）に示すように、第３電池５０が第２収納領域５ｒ内に形成された第３収納領域５ｓに収納される。第３電池５０が第３収納領域５ｓに収納されると、直列に収納された第３電池５０のうちの左側の第３電池５０の負極が第２／第３電池用負極端子５ｂｂと接触する。また、右側の第３電池５０の正極が第２／第３電池用正極端子５ｃｂと接触する。これにより、２本の第３電池５０から電子機器１に電力が供給される。
【００４１】
また、第３収納領域５ｓに第３電池５０を収納すると、保持部材５ａの第３電池保持部５ａａが、図５（Ｂ）に示す位置よりも第２保持部５ｅ側に押し込まれることで、保持部材５ａが軸部５ａｃを中心として矢印で示す回転方向（反時計回り）に回転し、図５（Ｄ）に示すように突出部５ａｄが第１保持部５ｄから第１収納領域５ｑに突出するようになっている。
【００４２】
以上説明した各電池の電池収納部５へ収納作業において、第１電池３０と第２電池４０のいずれか一方の電池を収納しているときは、他方の収納領域に保持部材５ａの第３電池保持部５ａａが配置されているので、第１電池３０と第２電池４０を同時挿入することができない。また、第３電池５０を収納しているときは、第２収納領域５ｒ内に第３電池保持部５ａａが配置されているので、第２電池４０と第３電池５０を同時挿入することができない。また第３電池５０を収納しているときは、保持部材５ａの突出部５ａｄが第１収納領域５ｑ側に突出するため、第１電池３０と第３電池５０を同時挿入することができない。
【００４３】
なお、第２／第３電池用正極端子５ｃｂは、第２電池４０または第３電池５０のいずれの電池が収納された場合にも、その正極と接触する大きさを有している。また、第２／第３電池用負極端子５ｂｂは第２電池４０または第３電池５０のいずれの電池が収納された場合にも、その負極と接触する位置に配置されている。
【００４４】
以上説明したように、本発明の電子機器によれば、第３電池５０の蓋側当接面５０ｂを蓋４の第２押さえ部４ｄで押さえるようにしたため、従来は蓋と電池収納部それぞれに設けられていた可動する保持部材を、電池収納部５の保持部材５ａの１つにすることができる。これにより使用者がサイズの異なる円筒形電池に入替える際の手間を少なくすることができる。また、保持部材５ａに突出部５ａｄを設けたことで、従来は第１電池と第３電池の同時収納を防止するための可動部材を不要とすることができる。このように可動部材の数を従来の３つから１つに減らすことで、部品点数や組立工数の削減によるコストダウンが図れる。
【符号の説明】
【００４５】
１  電子機器
２  前面ケース
２ａ  開口部
３  背面ケース
４  蓋
４ａ  裏面
４ｂ  リブ
４ｃ  第１押さえ部
４ｄ  第２押さえ部
５  電池収納部
５ａ  保持部材
５ａａ  第３電池保持部
５ａｂ  第３電池配置面
５ａｃ  軸部
５ａｄ  突出部
５ｂ  負極端子
５ｂａ  第１電池用負極端子
５ｂｂ  第２／第３電池用負極端子
５ｃ  正極端子
５ｃａ  第１電池用正極端子
５ｃｂ  第２／第３電池用正極端子
５ｄ  第１保持部
５ｅ  第２保持部
５ｆ  軸受部
５ｇ  上面
５ｈ  下面
５ｊ  第１左面
５ｋ  第２左面
５ｌ  第１右面
５ｍ  第２右面
５ｑ  第１収納領域
５ｒ  第２収納領域
５ｓ  第３収納領域
５ｐ  境界部
３０  第１電池
３０ａ  電池収納部側当接面
３０ｂ  蓋側当接面
４０  第２電池
４０ａ  電池収納部側当接面
４０ｂ  蓋側当接面
５０  第３電池
５０ａ  電池収納部側当接面
５０ｂ  蓋側当接面
【図１】
2018056003.tif 000003
【図２】
2018056003.tif 000004
【図３】
2018056003.tif 000005
【図４】
2018056003.tif 000006
【図５】
2018056003.tif 000007